(57)【要約】【課題】トラスに固定されたアングル材のかかり代を容易に且つ正確に測定することができるエスカレーターのかかり代測定装置を提供する。【解決手段】かかり代測定装置は、管体１９、操作棒２０、弾性体２１を備える。管体１９は、直線状を呈する基部１９ａ、直線状を呈し、基部１９ａに直交するように配置された先端部１９ｂ、基部１９ａ及び先端部１９ｂを連結する湾曲部１９ｃを有する。操作棒２０は、一端部が、基部１９ａの中空部に配置され、他端部が、基部１９ａの端面から突出する。弾性体２１は、一端部が、操作棒２０の一端部に設けられ、中間部が、湾曲部１９ｃの中空部を通り、他端部が、先端部１９ｂの端面から突出する。弾性体２１は、操作棒２０が基部１９ａに対してその長手方向に変位することにより、操作棒２０の変位に合わせて、先端部１９ｂの端面からの突出長さが変化する。【選択図】図６
2013228260.tif 000002
【特許請求の範囲】
【請求項１】
直線状を呈する基部、直線状を呈し、前記基部に直交するように配置された先端部、前記基部及び前記先端部を連結する湾曲部を有する管体と、
一端部が、前記基部の中空部に配置され、他端部が、前記基部の端面から突出する操作棒と、
一端部が、前記操作棒の一端部に設けられ、中間部が、前記湾曲部の中空部を通り、他端部が、前記先端部の端面から突出する弾性体と、
を備え、
前記弾性体は、前記操作棒が前記基部に対してその長手方向に変位することにより、前記操作棒の変位に合わせて、前記先端部の端面からの突出長さが変化するエスカレーターのかかり代測定装置。
【請求項２】
前記弾性体は、
一端部が前記操作棒の一端部に設けられた、所定の径を有する引きばねと、
前記引きばねの他端部に設けられた、前記引きばねの径より大きな径を有する外れ止めと、
を備えた請求項１に記載のエスカレーターのかかり代測定装置。
【請求項３】
前記基部は、外面に、その長手に沿って測定用の目盛りが付された請求項１又は請求項２に記載のエスカレーターのかかり代測定装置。
【請求項４】
前記操作棒は、外面に、その長手に沿って測定用の目盛りが付された請求項１から請求項３の何れかに記載のエスカレーターのかかり代測定装置。
【請求項５】
前記基部に設けられ、平坦な側面が、前記弾性体が前記先端部の端面から突出する方向とは逆の方向を向くように配置された当て板と、
を備えた請求項１から請求項４の何れかに記載のエスカレーターのかかり代測定装置。
【請求項６】
前記先端部に設けられた、ファイバースコープの先端部を取り付けるための取付部と、
を備えた請求項１から請求項５の何れかに記載のエスカレーターのかかり代測定装置。
【発明の詳細な説明】
【技術分野】
【０００１】
この発明は、エスカレーターのトラスに固定されたアングル材のかかり代を測定するための装置に関するものである。
【背景技術】
【０００２】
下記特許文献１に、エスカレーターの従来技術が開示されている。
トラスは、エスカレーターの自重及び積載荷重を支持する構造体からなる。トラスは、端部に、アングル材が固定されている。アングル材が、建築側の固定体（建築梁、建築壁等）に固定されることにより、トラスが上下階床間に掛け渡される。
【先行技術文献】
【特許文献】
【０００３】
【特許文献１】特開２０１０−２２８８４６号公報
【発明の概要】
【発明が解決しようとする課題】
【０００４】
従来では、アングル材が建築側の固定体にどのように固定されているのか、即ち、アングル材のかかり代について、綿密な調査は行われていなかった。特に、エスカレーターが既に建築物に設置されている場合は、アングル材のかかり代を測定する術がなく、エスカレーター設置後の調査は、全く行われていなかった。
【０００５】
この発明は、上述のような課題を解決するためになされたもので、その目的は、トラスに固定されたアングル材のかかり代を容易に且つ正確に測定することができるエスカレーターのかかり代測定装置を提供することである。
【課題を解決するための手段】
【０００６】
この発明に係るエスカレーターのかかり代測定装置は、直線状を呈する基部、直線状を呈し、基部に直交するように配置された先端部、基部及び先端部を連結する湾曲部を有する管体と、一端部が、基部の中空部に配置され、他端部が、基部の端面から突出する操作棒と、一端部が、操作棒の一端部に設けられ、中間部が、湾曲部の中空部を通り、他端部が、先端部の端面から突出する弾性体と、を備え、弾性体は、操作棒が基部に対してその長手方向に変位することにより、操作棒の変位に合わせて、先端部の端面からの突出長さが変化するものである。
【発明の効果】
【０００７】
この発明に係るエスカレーターのかかり代測定装置であれば、トラスに固定されたアングル材のかかり代を容易に且つ正確に測定することができる。
【図面の簡単な説明】
【０００８】
【図１】エスカレーターの構造を示す側面図である。
【図２】図１に示すＡ部拡大図である。
【図３】図１に示すＢ部拡大図である。
【図４】Ａ部の他の例を示す斜視図である。
【図５】Ａ部の種々の状態を示す側面図である。
【図６】この発明の実施の形態１におけるエスカレーターのかかり代測定装置を示す図である。
【図７】図６に示すＣ−Ｃ断面図である。
【図８】図６に示すＤ−Ｄ断面図である。
【図９】この発明の実施の形態１におけるエスカレーターのかかり代測定装置の使用方法を説明するための図である。
【図１０】この発明の実施の形態１におけるエスカレーターのかかり代測定装置の使用方法を説明するための図である。
【図１１】ファイバースコープを示す図である。
【図１２】この発明の実施の形態２におけるエスカレーターのかかり代測定装置の使用方法を説明するための図である。
【発明を実施するための形態】
【０００９】
添付の図面を参照して、本発明を詳細に説明する。各図において、同一又は相当する部分には、同一の符号を付している。重複する説明については、適宜簡略化或いは省略している。
【００１０】
実施の形態１．
先ず、図１乃至図５を参照し、エスカレーターの構造について説明する。図１はエスカレーターの構造を示す側面図である。
【００１１】
１はエスカレーターのトラスである。トラス１はエスカレーターの自重及び積載荷重を支持する構造体からなる。トラス１の上側の端部に、アングル材２が設けられる。アングル材２は、側面視、Ｌ字状の部材からなる。アングル材２は、一部が、鉛直方向に延び、トラス１の上端部の端面に固定される。アングル材２の他部は、トラス１の長手方向に更に延びるように、トラス１の上側の端部から水平方向に突出する。アングル材２の他部は、上階（例えば、２階）において建築側の固定体３に上方から載せられ、支持される。
【００１２】
トラス１の下側の端部に、アングル材４が設けられる。アングル材４は、側面視、Ｌ字状の部材からなる。アングル材４は、一部が、鉛直方向に延び、トラス１の下端部の端面に固定される。アングル材４の他部は、トラス１の長手方向に更に延びるように、トラス１の下側の端部から水平方向に突出する。アングル材４の他部は、下階（例えば、１階）において建築側の固定体５に上方から載せられ、支持される。
【００１３】
アングル材２が固定体３に、アングル材４が固定体５に支持されることにより、トラス１は、上下階床間に掛け渡される。また、図１に示すように、トラス１の中間傾斜部も、必要に応じて、建築側の固定体に支持される。
【００１４】
６はエスカレーターの乗客が上下階床間を移動する際に乗る踏み段である。無端状の踏み段チェーン７に、多数の踏み段６が連結される。踏み段チェーン７は、上部機械室８において、スプロケット９に巻き掛けられる。踏み段チェーン７は、下部機械室１０において、スプロケット１１に巻き掛けられる。
【００１５】
１２は踏み段６に乗降する乗客や踏み段６上の乗客が掴むための移動手摺である。移動手摺１２は、無端状を呈する。移動手摺１２は、踏み段６と同期するように駆動される。モータ１３は、踏み段６及び移動手摺１２を駆動する駆動装置からなる。モータ１３は、上部機械室８に設置される。
【００１６】
上部機械室８には、スプロケット９及びモータ１３の他、制御盤１４が設けられる。制御盤１４は、エスカレーターの運転を制御する。例えば、モータ１３の制御は、制御盤１４によって行われる。
【００１７】
図２は図１に示すＡ部拡大図である。図２では、固定体３の一例として、Ｈ鋼３ａを示している。図３は図１に示すＢ部拡大図である。図３では、固定体５の一例として、Ｈ鋼５ａを示している。
【００１８】
上側のアングル材２は、ベアリングプレート１５ａ、ライナー１６ａを介して、Ｈ鋼３ａの上面に載せられ、固定される。ベアリングプレート１５ａは、建築側の固定体３に固定される受け台のことである。ベアリングプレート１５ａは、例えば、金属製の板状の部材からなる。
【００１９】
ライナー１６ａは、アングル材２の高さ（即ち、トラス１の上端部の高さ）を調節するために、ベアリングプレート１５ａの上面に設けられる。ライナー１６ａは、例えば、金属製の薄い板状の部材からなり、複数枚が重ねて配置される。ライナー１６ａが適切にベアリングプレート１５ａ上に設けられることにより、トラス１は、所定の高さで水平に配置される。
図２に示すＬ１は、アングル材２のかかり代を示している。
【００２０】
下側のアングル材４は、ベアリングプレート１５ｂ、ライナー１６ｂを介して、Ｈ鋼５ａの上面に載せられ、固定される。ベアリングプレート１５ｂは、ベアリングプレート１５ａと同様の構成及び機能を有する。ライナー１６ｂは、ライナー１６ａと同様の構成及び機能を有する。図３に示すＬ２は、アングル材４のかかり代を示している。
【００２１】
エスカレーターの上側の支持構造と下側の支持構造とは同じであるため、以下においては、アングル材２についてのみ具体的な説明を行い、アングル材４に関する説明は省略する。
【００２２】
図４はＡ部の他の例を示す斜視図である。図４では、コンクリート製の固定体３を示している。固定体３がコンクリート製の場合、ベアリングプレート１５ａは、例えば、アンカーボルト１７を使用して、固定体３に固定される。かかる場合であっても、アングル材２は、ベアリングプレート１５ａ、ライナー１６ａを介して、固定体３に支持される。図４に示す１８は、アングル材２（トラス１）の位置を決めるための止め金である。
【００２３】
図５はＡ部の種々の状態を示す側面図である。ベアリングプレート１５ａ、ライナー１６ａは、図２に示すように、トラス１側の端部が、Ｈ鋼３ａのトラス１側の端部に一致するように配置され、固定されることが望ましい。しかし、実際のエスカレーターの設置現場では、図５の（ａ）乃至（ｈ）に示すように、ベアリングプレート１５ａの端部が、Ｈ鋼３ａの端部よりトラス１側に突出したり、ライナー１６ａの端部が、Ｈ鋼３ａの端部よりトラス１側に突出したりする。また、ベアリングプレート１５ａの端部が、Ｈ鋼３ａの端部よりトラス１から離れた位置に配置されたり、ライナー１６ａの端部が、Ｈ鋼３ａの端部よりトラス１から離れた位置に配置されたりする。
【００２４】
アングル材２の寸法やベアリングプレート１５ａの寸法、ライナー１６ａの寸法は既知である。このため、例えば、エスカレーターの据付工事をしている時等、アングル材２の設置状態を上方から確認することができれば、アングル材２のかかり代を容易に測定することができる。しかし、建築物に既に設置されているエスカレーターでは、アングル材２の上方は、上階の床面として仕上げられている。このため、既設のエスカレーターでは、アングル材２の設置状態を上方から確認することはできない。
【００２５】
以下に、図６乃至図８も参照し、アングル材２（及び４）のかかり代を測定するための装置の構成について、具体的に説明する。
【００２６】
図６はこの発明の実施の形態１におけるエスカレーターのかかり代測定装置を示す図である。図６（ａ）はかかり代測定装置の正面図を示している。図６（ｂ）はかかり代測定装置の左側面図を示している。図６（ｃ）はかかり代測定装置の要部の右側面図を示している。図７は図６に示すＣ−Ｃ断面図である。図８は図６に示すＤ−Ｄ断面図である。
【００２７】
本実施の形態におけるかかり代測定装置は、例えば、その要部が、管体１９、操作棒２０、弾性体２１、当て板２２、第１取付部２３、第２取付部２４により構成される。
【００２８】
管体１９は、一端部がＬ字状を呈するように折り曲げられた管状の部材からなる。
管体１９は、例えば、基部１９ａ、先端部１９ｂ、湾曲部１９ｃにより構成される。基部１９ａは、直線状を呈し、所定の長さを有する。先端部１９ｂは、直線状を呈し、基部１９ａよりも短い所定の長さを有する。先端部１９ｂは、基部１９ａに対して直交するように配置される。湾曲部１９ｃは、基部１９ａと先端部１９ｂとを連結する部分からなる。管体１９は管状の部材であるため、基部１９ａの中空部、湾曲部１９ｃの中空部、先端部１９ｂの中空部は、一続きに形成される。
【００２９】
操作棒２０は、所定の長さを有する円柱状の棒状部材からなる。操作棒２０は、一端部側が管体１９の内部空間（基部１９ａの中空部）に配置される。操作棒２０の他端部側は、管体１９の一方の端面（基部１９ａの端面）から突出するように配置される。操作棒２０は、管体１９の基部１９ａに対して一直線状に配置される。操作棒２０は、基部１９ａの端面からの突出量を変化させることができるように、基部１９ａに対してその長手方向に変位可能に設けられている。
【００３０】
弾性体２１は、外力が作用しなければ直線状を呈し、外力が作用することによって容易に変形する（曲がる）所定の部材からなる。なお、弾性体２１に対して軸方向に外力が作用しても、弾性体２１は、容易に変形しない。弾性体２１は、一端部が、管体１９の内部空間（基部１９ａの中空部）において、操作棒２０の一端部に設けられる。弾性体２１は、中間部が、基部１９ａの中空部、湾曲部１９ｃの中空部、先端部１９ｂの中空部を通るように配置される。弾性体２１の他端部は、管体１９の他方の端面（先端部１９ｂの端面）から突出するように配置される。
【００３１】
上述したように、弾性体２１は、一端部が操作棒２０の一端部に接続される。このため、操作棒２０が管体１９に対して変位することにより、弾性体２１も管体１９に対して変位する。即ち、操作棒２０が基部１９ａに対してその長手方向に変位することにより、弾性体２１の先端部１９ｂからの突出量（突出長さ）が、操作棒２０の変位に合わせて変化する。
【００３２】
弾性体２１が管体１９に対して変位する際に、弾性体２１が湾曲部１９ｃの中空部を円滑に移動できるように、弾性体２１は、その要部が、例えば、引きばね２１ａによって構成される。引きばね２１ａは、所定の径及び長さを有する。引きばね２１ａは、一端部が、基部１９ａの中空部において、操作棒２０の一端部に設けられる。引きばね２１ａは、中間部が湾曲部１９ｃを通過し、他端部が、先端部１９ｂの端面から突出する。
【００３３】
引きばね２１ａの他端部に、外れ止め２１ｂが設けられる。外れ止め２１ｂは、操作棒２０及び弾性体２１が管体１９から外れる（抜ける）ことを防止するために備えられたものである。外れ止め２１ｂは、引きばね２１ａの径よりも大きな径を有する。外れ止め２１ｂは、例えば、ボルトの頭部によって構成される。かかる場合、引きばね２１ａの他端部の端面からその中空部にボルトのネジ部が挿入され、ネジ部が引きばね２１ａの他端部に接着固定される。
【００３４】
管体１９は、基部１９ａの外面に、その長手に沿って測定用の目盛り１９ｄが付されている。目盛り１９ｄは、基部１９ａの外面のうち、少なくとも、弾性体２１が先端部１９ｂの端面から突出する方向とは逆の方向を向く面に配置される。
操作棒２０は、外面に、その長手に沿って測定用の目盛り２０ａが付されている。目盛り２０ａは、操作棒２０の外面のうち、少なくとも、弾性体２１が先端部１９ｂの端面から突出する方向とは逆の方向を向く面に配置される。
【００３５】
当て板２２は、測定時の管体１９の姿勢を保持するためのものである。当て板２２は、板状の部材からなる。当て板２２は、管体１９の基部１９ａに設けられる。当て板２２は、平坦な側面２２ａが、弾性体２１が先端部１９ｂの端面から突出する方向とは逆の方向を向くように配置される。
【００３６】
第１取付部２３及び第２取付部２４については後述する。
【００３７】
次に、図９及び図１０も参照し、上記構成を有するかかり代測定装置の使用方法について説明する。図９及び図１０はこの発明の実施の形態１におけるエスカレーターのかかり代測定装置の使用方法を説明するための図である。
【００３８】
上記かかり代測定装置を使用してアングル材２のかかり代を測定する場合、エスカレーターの保守員は、上部乗降口を形成する床板（図示せず）をトラス１から外し、上部機械室８に進入する。上部機械室８において、保守員は、トラス１を構成する部材の隙間から手を伸ばし、当て板２２の側面２２ａが、アングル材２のＨ鋼３ａ側を向く内側面２ａに密着するように、かかり代測定装置を配置する。
【００３９】
次に、保守員は、側面２２ａを内側面２ａに密着させて管体１９をアングル材２に固定した状態を保持したまま、操作棒２０を上方（図９におけるＧ方向）に移動させる。操作棒２０を上方に移動させることにより、弾性体２１が先端部１９ｂから水平方向に突出し、弾性体２１の他端部が、先端部１９ｂから離れる方向（図９におけるＨ方向）に移動する。
【００４０】
弾性体２１の他端部がベアリングプレート１５ａの端面に接触したことは、操作棒２０を操作している時の感触によって分かる。保守員は、弾性体２１の他端部がベアリングプレート１５ａの端面に接触すると、その時の操作棒２０の目盛り２０ａを読み取る。この読み取った値が、アングル材２の内側面２ａとベアリングプレート１５ａの端面との距離である。
【００４１】
次に、保守員は、管体１９を僅かに上方に移動させた後、上記と同様の手順によって、アングル材２の内側面２ａとライナー１６ａの端面との距離を測定する。アングル材２の内側面２ａとベアリングプレート１５ａの端面との距離、並びに、アングル材２の内側面２ａとライナー１６ａの端面との距離から、アングル材２の設置状態を把握し、アングル材２のかかり代を算出することができる。
【００４２】
図１０は、かかり代測定装置の他の使用方法を示している。エスカレーターの保守員は、上記かかり代測定装置を使用して、アングル材２の下面２ｂとベアリングプレート１５ａの上面との距離を測定することもできる。かかる場合、保守員は、上部機械室８において、トラス１を構成する部材の隙間から手を伸ばし、当て板２２の側面２２ａがアングル材２の内側面２ａに密着し、且つ、管体１９の（先端部１９ｂの）上端がアングル材２の下面２ｂに接触するように、かかり代測定装置を鉛直方向に配置する。
【００４３】
先端部１９ｂの径（厚み）は、既知である。管体１９の基部１９ａには、先端部１９ｂの径に合わせて、目盛り１９ｄが付されている。例えば、管体１９の基部１９ａを鉛直方向に配置した状態で、先端部１９ｂの上端をアングル材２の下面２ｂに接触させると、先端部１９ｂの径の数値を示す目盛り１９ｄの位置に、アングル材２の下端が配置される。例えば、先端部１９ｂの径が１０ｍｍの場合、管体１９の基部１９ａを鉛直方向に配置した状態で、先端部１９ｂの上端をアングル材２の下面２ｂに接触させると、目盛り１９ｄの１０ｍｍを示す位置に、アングル材２の下端が配置される。
【００４４】
保守員は、当て板２２を内側面２ａに密着させ、先端部１９ｂの上端を下面２ｂに接触させると、目盛り１９ｄを目視して、アングル材２の下端が目盛り１９ｄの１０ｍｍの位置に配置されていることを確認する。次に、保守員は、管体１９を持ってかかり代測定装置を下方に移動させ、管体１９の先端部１９ｂをベアリングプレート１５ａの上面に載せる。保守員は、管体１９の先端部１９ｂをベアリングプレート１５ａの上面に載せた状態で、管体１９の基部１９ａを鉛直方向に配置し、かかる状態で、目盛り１９ｄに対するアングル材２の下端の位置を読み取る。この読み取った値が、アングル材２の下面２ｂとベアリングプレート１５ａの上面との距離である。
【００４５】
実施の形態２．
実施の形態１で説明したように、建築物に既に設置されているエスカレーターでは、保守員は、上部機械室８から、アングル材２のかかり代を測定しなければならない。上部機械室８には、モータ１３や制御盤１４等が設置されているため、十分な作業スペースを確保することはできない。また、保守員は、アングル材２のかかり代を測定する際の測定箇所を、上部機械室８から直接目視することはできない。
【００４６】
図１１はファイバースコープを示す図である。本実施の形態では、かかり代測定装置とファイバースコープ２５とを使用して、アングル材２のかかり代を測定する場合について説明する。
【００４７】
ファイバースコープ２５は、本体２５ａ、操作部２５ｂ、表示部２５ｃ、ファイバー部２５ｄ、レンズ部２５ｅを備える。レンズ部２５ｅは、ファイバー部２５ｄの先端に設けられる。ファイバー部２５ｄの先端部は、所定の方向に曲がるように構成される。
【００４８】
かかり代測定装置の第１取付部２３及び第２取付部２４は、ファイバースコープ２５の（ファイバー部２５ｄの）先端部を管体１９に取り付けるためのものである。第１取付部２３及び第２取付部２４は、短い筒状を呈する部材からなる。第１取付部２３は、例えば、基部１９ａの中間部（又は、当て板２２）に設けられる。第１取付部２３は、基部１９ａと平行に配置される。第２取付部２４は、例えば、先端部１９ｂに設けられる。第２取付部２４は、先端部１９ｂと平行に配置される。
【００４９】
図１２はこの発明の実施の形態２におけるエスカレーターのかかり代測定装置の使用方法を説明するための図である。図１２は、かかり代測定装置の第１取付部２３及び第２取付部２４に、ファイバースコープ２５のファイバー部２５ｄを取り付けた状態を示している。ファイバースコープ２５は、レンズ部２５ｅが、弾性体２１が先端部１９ｂの端面から突出する方向を向くように配置される。
【００５０】
ファイバースコープ２５をかかり代測定装置に取り付けることにより、保守員は、弾性体２１の他端部の位置や管体１９の先端部１９ｂの位置を表示部２５ｃで確認しながら、各種測定操作を行うことができる。このため、狭く暗い上部機械室８内においても、測定作業を正確に且つ迅速に行うことができる。
【００５１】
なお、第２取付部２４の径が管体１９の先端部１９ｂの径より大きい場合、第２取付部２４の径に合わせて、目盛り１９ｄが付される。かかる場合、保守員は、当て板２２を内側面２ａに密着させ、先端部１９ｂの上端を下面２ｂに接触させると、目盛り１９ｄを目視して、アングル材２の下端が、第２取付部２４の径の数値を示す位置に一致することを確認する。
その他は、実施の形態１と同様である。
【符号の説明】
【００５２】
１  トラス
２、４  アングル材
２ａ  内側面
２ｂ  下面
３、５  固定体
３ａ、５ａ  Ｈ鋼
６  踏み段
７  踏み段チェーン
８  上部機械室
９、１１  スプロケット
１０  下部機械室
１２  移動手摺
１３  モータ
１４  制御盤
１５ａ、１５ｂ  ベアリングプレート
１６ａ、１６ｂ  ライナー
１７  アンカーボルト
１８  止め金
１９  管体
１９ａ  基部
１９ｂ  先端部
１９ｃ  湾曲部
１９ｄ  目盛り
２０  操作棒
２０ａ  目盛り
２１  弾性体
２１ａ  引きばね
２１ｂ  外れ止め
２２  当て板
２２ａ  側面
２３  第１取付部
２４  第２取付部
２５  ファイバースコープ
２５ａ  本体
２５ｂ  操作部
２５ｃ  表示部
２５ｄ  ファイバー部
２５ｅ  レンズ部
【図１】
2013228260.tif 000003
【図２】
2013228260.tif 000004
【図３】
2013228260.tif 000005
【図４】
2013228260.tif 000006
【図５】
2013228260.tif 000007
【図６】
2013228260.tif 000008
【図７】
2013228260.tif 000009
【図８】
2013228260.tif 000010
【図９】
2013228260.tif 000011
【図１０】
2013228260.tif 000012
【図１１】
2013228260.tif 000013
【図１２】
2013228260.tif 000014